(57)【要約】【課題】光ディスクごとのループ再生の設定を容易とし、かつ、その光ディスクを装置本体に装填するだけでループ再生の開始を可能とする。【解決手段】制御部３は、ユーザ操作によって前記光ディスクの所定の領域に設けられている管理情報領域の中の特定領域に予めループ再生情報を設定する設定手段を備えており、リモコン装置１１の再生ボタンの通常操作によるＤＶＤ２０の再生モード時、制御部３は、ＤＶＤ２０の管理情報の中のユーザが自由に使用できる特定領域にループ再生情報（例えば「Ｅｄｉｔ＿Ｌｏｏｐ」コード）が設定されているか否かを確認し、ループ再生情報が設定されている場合には、ＤＶＤ２０に記録されている情報のループ再生を実施する。【選択図】図１
2008186557.tif 000002
【特許請求の範囲】
【請求項１】
光ディスクにプラスＶＲ方式によって複数の情報を記録するとともに記録した情報を再生する記録再生制御手段を備えた光ディスク装置において、
ユーザ操作によって、前記光ディスクの管理情報であるＶＲＭＩ情報の各タイトルごとに存在するＶＲＭＩ＿ＲＥＣＩ情報のＶＲＭＩ＿ＲＥＣＩ＿ＵＤに予めループ再生情報を設定する設定手段を備えており、
前記設定手段はさらに、複数の情報の中から一連にループ再生を行う情報を選択するグループ選択手段と、選択したグループの再生順序を設定する順序設定手段とを備え、前記ループ再生情報には、ユーザによって設定されたグループ番号と再生順序番号とが含まれており、
通常の再生操作による前記光ディスクの再生モード時に任意の再生グループがユーザによって指定された場合には、前記記録再生制御手段は、前記光ディスクの特定領域から、前記指定された再生グループ番号の各情報と再生順序番号とを取得し、取得した再生グループ番号の各情報を取得した再生順序番号に従ってループ再生を行うことを特徴とする光ディスク装置。
【請求項２】
光ディスクに情報を記録するとともに記録した情報を再生する記録再生制御手段を備えた光ディスク装置において、
ユーザ操作によって前記光ディスクの所定の領域に設けられている管理情報領域の中の特定領域に予めループ再生情報を設定する設定手段を備えており、
通常の再生操作による前記光ディスクの再生モード時、前記記録再生制御手段は、前記光ディスクの特定領域にループ再生情報が設定されているか否かを確認し、ループ再生情報が設定されている場合には、前記光ディスクに記録されている情報のループ再生を実施することを特徴とする光ディスク装置。
【請求項３】
前記特定領域は、映像記録方式に応じてユーザが自由に使用可能に設けられている領域であることを特徴とする請求項２に記載の光ディスク装置。
【請求項４】
前記特定領域は、前記光ディスクがプラスＶＲ方式で記録されている場合には、プラスＶＲ方式の管理情報であるＶＲＭＩ情報の各タイトルごとに存在するＶＲＭＩ＿ＲＥＣＩ情報の中のＶＲＭＩ＿ＲＥＣＩ＿ＵＤ領域であることを特徴とする請求項２に記載の光ディスク装置。
【請求項５】
前記特定領域は、前記光ディスクがマイナスＶＲ方式で記録されている場合には、マイナスＶＲ方式の管理情報であるＲＴＲ＿ＶＭＧ情報の各タイトルごとに存在するＴＸＴＤＴ＿ＭＧ情報の中のＩＴ＿ＴＸＴの領域であることを特徴とする請求項２に記載の光ディスク装置。-
【請求項６】
前記光ディスクに複数の情報が記録されている場合において、
前記設定手段は、複数の情報の中から一連にループ再生を行う情報を選択するグループ選択手段と、選択したグループの再生順序を設定する順序設定手段とをさらに備え、前記ループ再生情報には、ユーザによって設定されたグループ番号と再生順序番号とが含まれており、
再生モード時に任意の再生グループがユーザによって指定された場合には、前記記録再生制御手段は、前記光ディスクの特定領域から、前記指定された再生グループ番号の各情報と再生順序番号とを取得し、取得した再生グループ番号の各情報を取得した再生順序番号に従ってループ再生を行うことを特徴とする請求項２に記載の光ディスク装置。
【発明の詳細な説明】
【技術分野】
【０００１】
本発明は、ＤＶＤ（Digital Versatile Disk）等の光ディスクに情報を記録するとともに記録した情報を再生する光ディスク装置に係り、より詳細には、ループ再生機能を備えた光ディスク装置に関する。
【背景技術】
【０００２】
近時、ＤＶＤ等の光ディスク装置か急速に普及しているが、このような光ディスク装置の販売に際し、例えば店頭でのデモンストレーションのために光ディスクに記録されている映像をループ再生することが求められている。
【０００３】
このようなループ再生機能は、従来の光ディスクにも備えられており、例えばビデオ情報には、ループ再生を実現するための設定情報が存在している。この情報を設定することで、光ディスクに記録されている情報をループ再生することが可能である。
【０００４】
また、このようなループ再生機能の一つとして、例えば特許文献１に記載の情報記録再生装置が開示されている。この情報記録再生装置は、複数の静止画から構成される静止画群を順に再生するブラウザブルスライドショーと呼ばれる機能を備えている。ブラウザブルスライドショーでは、静止画リピートフラグが設定される。静止画リピートフラグは、ブラウザブルスライドショーにおいて、複数の静止画の再生を繰り返し行うか否かを規定する情報であり、静止画リピートフラグがオンに設定されている場合、複数の静止画から構成される静止画群が繰り返し再生されることになる。
【特許文献１】国際公開番号Ｗ０２００４／１１４６５７
【発明の開示】
【発明が解決しようとする課題】
【０００５】
しかし、上記特許文献１記載のものは、あくまで静止画像を繰り返し再生するものであり、光ディスクに記録されている動画情報をルーフ再生するものではない。
【０００６】
また、上記したように、光ディスクのビデオ情報には、ループ再生を実現するための設定情報が存在しているが、従来、このようなループ再生を実施するための設定を、ユーザ操作によって行われることはほとんどなかった。それは、設定に際し更新する情報が複雑であるため、ユーザにとって簡単な操作でないことが原因であった。つまり、ビデオ情報に含まれているループ再生を実施するための情報は、例えば映画を作成するような専門的な知識のある者が操作するレベルの情報であり、一般ユーザが扱うのは難しかった。そのため、ループ再生を行うときには、光ディスク装置の再生機能を利用して、ユーザがその都度ループ再生を設定しているのが現状である。
【０００７】
本発明はかかる実情に鑑みて創案されたもので、その目的は、光ディスクごとのループ再生の設定が容易に行えるとともに、その光ディスクを装置本体に装填するだけでループ再生を開始することのできる光ディスク装置を提供することにある。
【課題を解決するための手段】
【０００８】
上記課題を解決するため、本発明の光ディスク装置は、光ディスクに情報を記録するとともに記録した情報を再生する記録再生制御手段を備えた光ディスク装置において、ユーザ操作によって前記光ディスクの所定の領域に設けられている管理情報領域の中の特定領域に予めループ再生情報を設定する設定手段を備えており、通常の再生操作による前記光ディスクの再生モード時、前記記録再生制御手段は、前記光ディスクの特定領域にループ再生情報が設定されているか否かを確認し、ループ再生情報が設定されている場合には、前記光ディスクに記録されている情報のループ再生を実施することを特徴としている。
【０００９】
すなわち、光ディスクを装置本体に装填して編集画面に移行すると、ループ再生の設定を行うか否かの確認画面が表示されるので、ユーザがその確認画面からループ再生の設定を選択すると、設定手段は、装填されている光ディスクの管理情報領域の中の特定領域にループ再生情報を設定する。これにより、ユーザは、簡単な操作で光ディスクのループ再生を設定することが可能となる。
【００１０】
ここで、前記特定領域は、映像記録方式に応じてユーザが自由に使用可能に設けられている領域である。具体的には、前記特定領域は、前記光ディスクがプラスＶＲ方式で記録されている場合には、プラスＶＲ方式の管理情報であるＶＲＭＩ情報の各タイトルごとに存在するＶＲＭＩ＿ＲＥＣＩ情報の中のＶＲＭＩ＿ＲＥＣＩ＿ＵＤ領域である。また、前記特定領域は、前記光ディスクがマイナスＶＲ方式で記録されている場合には、マイナスＶＲ方式の管理情報であるＲＴＲ＿ＶＭＧ情報の各タイトルごとに存在するＴＸＴＤＴ＿ＭＧ情報の中のＩＴ＿ＴＸＴ領域である。
【００１１】
このように、本発明の光ディスク装置によれば、光ディスクの特定領域にループ再生情報を予め設定しておくことで、ユーザは、その光ディスクを装置本体に装填して通常の再生ボタンを操作するだけで、設定されているルーフ再生情報に従って光ディスクに記録されている情報のループ再生を開始することができる。従って、例えば店頭で光ディスク装置のデモンストレーションを行う場合において、販売員であるユーザは、光ディスク装置の再生機能を利用したループ再生設定を行う必要がなく、単に光ディスクを装置本体に装填して再生ボタンを操作するだけでループ再生を開始させることが可能となる。
【００１２】
また、本発明では、前記光ディスクに複数の情報が記録されている場合において、前記設定手段は、複数の情報の中から一連にループ再生を行う情報を選択するグループ選択手段と、選択したグループの再生順序を設定する順序設定手段とをさらに備え、前記ループ再生情報には、ユーザによって設定されたグループ番号と再生順序番号とが含まれており、再生モード時に任意の再生グループがユーザによって指定された場合には、前記記録再生制御手段は、前記光ディスクの特定領域から、前記指定された再生グループ番号の各情報と再生順序番号とを取得し、取得した再生グループ番号の各情報を取得した再生順序番号に従ってループ再生を行う構成としてもよい。
【００１３】
このような構成とすると、光ディスクに複数の情報が記録されている場合に、単純に最初から順番にループ再生を行うのではなく、その中の任意の情報のみを組み合わせたループ再生が可能となる。例えば、光ディスクに番組Ａ，Ｂ，Ｃ，Ｄ，Ｅの５つの情報が記録されており、番組Ａにはループ番号１、再生順序番号２が設定されており、番組Ｂにはループ番号２、再生順序番号１が設定されており、番組Ｃにはループ番号１、再生順序番号１が設定されており、番組Ｄにはループ番号２、再生順序番号２が設定されており、番組Ｅにはループ番号１、再生順序番号３が設定されている場合において、ユーザがループ番号１を指定して再生ボタンを操作した場合には、番組Ｃ−Ａ−Ｅの順にループ再生が開始されることになる。また、ユーザがループ番号２を指定して再生ボタンを操作した場合には、番組Ｂ−Ｄの順にループ再生が開始されることになる。
【発明の効果】
【００１４】
本発明の光ディスク装置によれば、ユーザは、簡単な操作で光ディスクの特定領域にループ再生情報を設定することができるとともに、その設定されている光ディスクを装置本体に装填して再生ボタンを操作するだけで、ループ再生を開始させることができる。これにより、例えば店頭で光ディスク装置のデモンストレーションを行う場合において、販売員であるユーザは、光ディスク装置の再生機能を利用したループ再生設定を行う必要がなく、単に光ディスクを装置本体に装填して再生ボタンを操作するだけで、簡単にループ再生を開始させることができる。
【００１５】
また、本発明の光ディスク装置によれば、光ディスクに複数の情報が記録されている場合に、単純に最初から順番にループ再生を行うのではなく、その中の任意の情報のみを組み合わせたループ再生を行うことができ、より変化に富んだループ再生が可能となる。
【発明を実施するための最良の形態】
【００１６】
以下、本発明の実施の形態について、図面を参照して説明する。
【００１７】
図１は、本発明の光ディスク装置をＤＶＤレコーダに適用した場合のシステム構成を示している。
【００１８】
本実施形態において、ＤＶＤ２０は、ＤＶＤ＋ＶＲ規格またはＤＶＤ−ＶＲ規格に基づいて番組情報などのデータが記録される光ディスクである。
【００１９】
このＤＶＤレコーダ１は、リモコン装置１１やフロントパネル（図示せず）に設けられた操作キーがユーザによって操作されることにより、操作信号が入力されるキー操作入力部２、キー操作入力部２からの操作信号を受けて、その操作信号の内容に応じた制御信号などを出力して各部の制御を行ったり、各種演算処理などを行う制御部３を備えている。
【００２０】
また、ＤＶＤレコーダ１は、制御部３の制御及び処理動作に必要なプログラムやデータを記憶するＲＯＭ（Read Only Memory）４、その処理動作中のワーキングメモリとして使用されるＲＡＭ（Random Access Memory）５、装填されたＤＶＤ２０を回転させるとともにレーザ光を照射することによりＤＶＤ２０の記録領域や後述する管理情報の中の特定領域にデータを書き込んだり、記録されているデータを読み出したりするディスクドライブ部６を備えている。
【００２１】
また、ＤＶＤレコーダ１は、他の装置（外部入力機器やチューナなど）からのビデオ信号（映像信号及び音声信号）が入力され、入力されたビデオ信号をデジタル信号に変換し、さらにそのデジタル信号を符号化したデジタルデータを生成してディスクドライブ部６に入力するエンコード部７、ディスクドライブ部６から出力されたデジタルデータを複号化してデジタル信号を生成し、そのデジタル信号をアナログ信号に変換してアナログビデオ信号を生成して外部テレビジョン受像機等の表示装置１０に出力するデコード部８、及び制御部３からの画像情報等に基づくオンスクリーン画像情報を生成し、デコード部８からのアナログビデオ信号に重畳して表示装置１０に出力するＯＳＤ（On Screen Display）表示部９を備えている。
【００２２】
このような構成のＤＶＤレコーダ１は、例えばリモコン装置１１を用いたユーザ操作に応じて、エンコード部７に入力されるビデオ信号をデジタルデータに変換し、ディスクドライブ部６を介してＤＶＤ２０にビデオデータを記録したり、ＤＶＤ２０に記録されているデジタルデータをディスクドライブ部６を介して読み出し、デコーダ部８にてビデオ信号に再生して表示装置１０に出力したりすることができる。
【００２３】
また、制御部３は、例えばリモコン装置１１を用いたユーザ操作によって、ＤＶＤ２０の管理情報領域の中の特定領域に予めループ再生情報を設定する設定機能を備えている。そして、制御部３は、通常の再生操作によるＤＶＤ２０の再生モード時、ＤＶＤ２０の特定領域にループ再生情報が設定されているか否かを確認し、ループ再生情報が設定されている場合には、ＤＶＤ２０に記録されている情報のループ再生を実施するようになっている。また、制御部３はさらに、複数の情報の中から一連にループ再生を行う情報を選択するグループ選択機能と、選択したグループの再生順序を設定する順序設定機能とを備えている。すなわち、請求項に記載の記録再生制御手段、設定手段、グループ選択手段及び順序設定手段は、本実施形態では制御部３によって実現されている。
【００２４】
ここで、ＤＶＤ２０の所定の領域（内周側の領域）に設けられている管理情報領域の中の特定領域について説明する。
【００２５】
周知のように、ＤＶＤ＋ＶＲ規格やＤＶＤ−ＶＲ規格では、管理情報の中に、ユーザが自由に使用可能な領域が設けられている。この領域は、＋ＶＲ規格では、ビデオレコーディング管理情報であるＶＲＭＩ情報の各タイトルごとに存在するＶＲＭＩ＿ＲＥＣＩ情報の中のＶＲＭＩ＿ＲＥＣＩ＿ＵＤの領域であり、−ＶＲ規格では、管理情報であるＲＴＲ＿ＶＭＧ情報の各タイトルごとに存在するＴＸＴＤＴ＿ＭＧ情報の中のＩＴ＿ＴＸＴの領域である。本実施形態では、映像記録方式に応じたこれらの領域に、ループ再生情報として独自コードを設定する。ここでは、独自コードの例として、例えば「Ｅｄｉｔ＿Ｌｏｏｐ」のコードを設定するものとする。ただし、これ以外のコードでもよいことは当然であり、制御部３が読み取ってループ再生指示であることを認識できるコードであればよい。
【００２６】
次に、上記構成のＤＶＤレコーダ１において、装填されているＤＶＤ２０の特定領域にループ再生情報を設定する処理、及び設定されたループ再生情報に基づいてループ再生を実施する処理について、具体的に実施例を挙げて説明する。ただし、以下の実施例では、リモコン装置１１からキー操作入力部２に各種の操作信号が入力されるものとする。
【実施例１】
【００２７】
本実施例１は、本発明の最も基本的な処理動作の実施例であり、以下、図２及び図３に示すフローチャート、及び図４に示す編集画面例を参照して説明する。
【００２８】
＜装填されているＤＶＤ２０の特定領域にループ再生情報を設定する処理の説明＞
すでに情報が記録されているＤＶＤ２０を装置本体に装填すると（ステップＳ１）、ユーザは、リモコン装置１１を操作して、表示装置１０の画面にメニュー画面を表示し（ステップＳ２）、そのメニュー画面の中からリピート再生の編集項目を選択する（ステップＳ３）。これにより、制御部３は、リピート再生の編集処理に移行し（ステップＳ３でＹｅｓと判断）、リピート再生の編集画面を表示装置１０に表示する（ステップＳ４）。
【００２９】
図４は、このときの表示形態の一例を示している。この例では、画面上側に「リピート再生を設定しますか？」のメッセージを表示し、画面下側に、「設定」ボタン４１と「キャンセルボタン」４２とを表示する。従って、ユーザは、装填されているＤＶＤ２０に記録されている情報のリピート再生を設定する場合には、リモコン装置１１を操作して画面上のカーソル（図示省略）を「設定」ボタン４１に移動し、その状態でリモコン装置１１の図示しない「決定」ボタンを操作することで、リピート再生を設定することができる。
【００３０】
制御部３は、この「設定」ボタン４１の操作信号を受け取ると（ステップＳ５でＹｅｓと判断されると）、「Ｅｄｉｔ＿Ｌｏｏｐ」のコードを、管理情報の中の上記特定領域に設定（書き込み）して（ステップＳ６）、処理を終了する。
【００３１】
一方、図４に示す編集画面において、「キャンセル」ボタン４２が操作された場合（ステップＳ５でＮｏと判断された場合）には、特定領域に何も書き込むことなく、そのまま処理を終了する。
【００３２】
＜設定されたループ再生情報に基づいてループ再生を実施する処理の説明＞
リモコン装置１１の操作によってＤＶＤレコーダ１の電源がオンされると、制御部３は、装置本体にＤＶＤ２０が装填されたか否かを確認し（ステップＳ１１）、ＤＶＤ２０が装填されている場合には、リモコン装置１１の図示しない再生ボタンが操作されたか否かを監視する（ステップＳ１２）。その結果、再生ボタンが操作されると、その操作信号を受け取った制御部３は、装填されているＤＶＤ２０の管理情報を検索し（ステップＳ１３）、その管理情報の中の特定領域にループ再生情報（「Ｅｄｉｔ＿Ｌｏｏｐ」コード）が設定（書き込み）されているか否かを確認する（ステップＳ１４）。
【００３３】
その結果、ループ再生情報が設定されている場合（ステップＳ１４でＹｅｓと判断された場合）には、制御部３は、ＤＶＤ２０に記録されている情報のループ再生を開始する（ステップＳ１５）。すなわち、ＤＶＤ２０に情報Ａが記録されている場合には、この情報Ａをループ再生（エンドレス再生）する。
【００３４】
一方、特定領域にループ再生情報が設定されていない場合（ステップＳ１４でＮｏと判断された場合）には、制御部３は、ＤＶＤ２０に記録されている情報の通常再生を開始する（ステップＳ１６）。すなわち、ＤＶＤ２０に情報Ａが記録されている場合には、この情報Ａを最初から最後まで再生すると、処理を終了する。
【実施例２】
【００３５】
本実施例２は、ＤＶＤ２０に複数の情報（例えば、番組Ａ，Ｂ，Ｃ，Ｄ，Ｅの５つの情報）が記録されている場合の処理動作の実施例であり、以下、図５及び図６に示すフローチャート、及び図７に示す編集画面例を参照して説明する。
【００３６】
＜装填されているＤＶＤ２０の特定領域にループ再生情報を設定する処理の説明＞
すでに複数の番組Ａ〜Ｅが記録されているＤＶＤ２０を装置本体に装填すると（ステップＳ２１）、ユーザは、リモコン装置１１を操作して、表示装置１０の画面にメニュー画面を表示し（ステップＳ２２）、そのメニュー画面の中からリピート再生の編集項目を選択する（ステップＳ２３）。これにより、制御部３は、リピート再生の編集処理に移行し（ステップＳ２３でＹｅｓと判断）、リピート再生の編集画面を表示装置１０に表示する（ステップＳ２４）。
【００３７】
図７（ａ）は、このときの表示形態の一例を示している。この例では、画面上側に「リピート再生を設定しますか？」のメッセージを表示し、画面下側に、「設定」ボタン４１と「キャンセルボタン」４２とを表示する。ここで、本実施例２では、「設定ボタン」４１の中にさらに、「詳細設定」ボタン４１ａと「通常設定」ボタン４１ｂとが表示されている。従って、ユーザは、装填されているＤＶＤ２０に記録されている情報のリピート再生を設定する場合には、リモコン装置１１を操作して画面上のカーソル（図示省略）を「設定」ボタン４１に移動し、さらにその中の「詳細設定」ボタン４１ａか「通常設定」ボタン４１ｂのいずれかを選択する（ステップＳ２５，Ｓ２６）。
【００３８】
ここで、「詳細設定」ボタン４１ａが選択され、その状態でリモコン装置１１の図示しない「決定」ボタンが操作された場合（ステップＳ２５でＹｅｓと判断された場合）には、制御部３は、図７（ｂ）に示すループ再生の詳細設定画面を表示装置１０に表示する（ステップＳ２７）。
【００３９】
この詳細設定画面には、ＤＶＤ２０に記録されている複数の情報のタイトル名の項目５１と、グループ番号の項目５２と、再生順序番号の項目５３とからなる詳細設定テーブルが表示されている。タイトル名の項目５１には、制御部３が管理情報から読み出した内容に従って事前に各番組Ａ〜Ｄのタイトル名（ここでは同じＡ〜Ｅを用いて表記している）が入力されている。従って、ユーザは、各番組Ａ〜Ｅのグループ番号の項目５２と再生順序番号の項目５３とに、所望するグループ番号と再生順序番号とを入力する（ステップＳ２８）。
【００４０】
図７（ｃ）は、入力後の詳細設定テーブルを示している。ここでは、番組Ａにループ番号１、再生順序番号２が設定されており、番組Ｂにループ番号２、再生順序番号１が設定されており、番組Ｃにループ番号１、再生順序番号１が設定されており、番組Ｄにループ番号２、再生順序番号２が設定されており、番組Ｅにループ番号１、再生順序番号３が設定されている。ただし、このように全ての番組についてグループ番号や再生順序番号を設定する必要はなく、ループ再生したい番組にのみ設定すればよい。
【００４１】
このようにして詳細設定を終了後、ユーザがリモコン装置１１の「決定」ボタンを操作すると、制御部３は、「Ｅｄｉｔ＿Ｌｏｏｐ」のコードと、上記詳細設定テーブルの内容とを、管理情報の中の上記特定領域に設定（書き込み）して（ステップＳ２９）、処理を終了する。
【００４２】
一方、図７（ａ）に示す編集画面において、「通常設定」ボタン４１ｂが選択され、リモコン装置１１の「決定」ボタンが操作された場合（ステップＳ２６でＹｅｓと判断された場合）には、制御部３は、「Ｅｄｉｔ＿Ｌｏｏｐ」のコードのみを、管理情報の中の特定領域に設定（書き込み）して（ステップＳ３０）、処理を終了する。すなわち、この場合のループ再生は、上記実施例１と同様、ＤＶＤ２０に記録されている全ての番組Ａ〜Ｅをその順番でループ再生することになる。
【００４３】
一方、図７（ａ）に示す編集画面において、「キャンセル」ボタン４２が操作された場合（ステップＳ２６でＮｏと判断された場合）には、特定領域に何も書き込むことなく、そのまま処理を終了する。
【００４４】
＜設定されたループ再生情報に基づいてループ再生を実施する処理の説明＞
リモコン装置１１の操作によってＤＶＤレコーダ１の電源がオンされると、制御部３は、装置本体にＤＶＤ２０が装填されたか否かを確認し（ステップＳ３１）、ＤＶＤ２０が装填されている場合には、リモコン装置１１の図示しない再生ボタンが操作されたか否かを監視する（ステップＳ３２）。その結果、再生ボタンが操作されると、その操作信号を受け取った制御部３は、次に、グループ番号が指定されたか否かを確認する（ステップＳ３３）。
【００４５】
ここで、グループ番号の指定は、以下のようにして行うことができる。すなわち、再生ボタンが操作されると、制御部３は、表示装置１０にグループ番号の指定画面を表示する。指定画面としては、例えば「リモコン装置のテンキーを利用してグループ番号を指定してください。」といったメッセージを表示する。この表示に従ってユーザがリモコン装置１１のテンキーを利用して所望のグループ番号を入力（指定）すると（ステップＳ３３でＹｅｓと判断されると）、そのグループ番号の操作信号を受け取った制御部３は、装填されているＤＶＤ２０の管理情報を検索し（ステップＳ３４）、その管理情報の中の特定領域にループ再生情報（「Ｅｄｉｔ＿Ｌｏｏｐ」コード）とグループ番号情報とが設定（書き込み）されているか否かを確認する（ステップＳ３５）。
【００４６】
その結果、ループ再生情報とグループ番号情報とが設定されている場合（ステップＳ３５でＹｅｓと判断された場合）には、制御部３は、ＤＶＤ２０に記録されている複数の番組の中から、指定されたグループ番号に含まれる番組のループ再生を開始する（ステップＳ３６）。例えば、グループ番号１が指定されていた場合には、番組Ｃ−Ａ−Ｅの順にループ再生（エンドレス再生）を開始する。
【００４７】
一方、特定領域にループ再生情報やグループ番号情報が設定されていない場合（ステップＳ３５でＮｏと判断された場合）には、制御部３は、表示装置１０にエラーメッセージを表示して（ステップＳ３７）、ユーザに再度の設定を促すことになる。
【００４８】
一方、グループ番号が指定されなかった場合、すなわち、表示装置１０に表示されたグループ番号の指定画面がキャンセルされた場合（ステップＳ３３でＮｏと判断された場合）には、制御部３は、装填されているＤＶＤ２０の管理情報を検索し（ステップＳ３８）、その管理情報の中の特定領域にループ再生情報（「Ｅｄｉｔ＿Ｌｏｏｐ」コード）が設定（書き込み）されているか否かを確認する（ステップＳ３９）。
【００４９】
その結果、ループ再生情報が設定されている場合（ステップＳ３９でＹｅｓと判断された場合）には、制御部３は、ＤＶＤ２０に記録されている全ての番組Ａ〜Ｅのループ再生を開始する（ステップＳ４０）。すなわち、番組Ａ−Ｂ−Ｃ−Ｄ−Ｅの順にループ再生（エンドレス再生）を開始する。つまり、この場合には、詳細設定テーブルにグループ番号が設定されていたとしても、これを無視して全ての番組のループ再生を開始することになる。
【００５０】
一方、特定領域にループ再生情報が設定されていない場合（ステップＳ３９でＮｏと判断された場合）には、制御部３は、ＤＶＤ２０に記録されている情報の通常再生を開始する（ステップＳ４１）。この場合には、ＤＶＤ２０に記録されている番組Ａから番組Ｅまで再生すると、再生処理を終了する。
【図面の簡単な説明】
【００５１】
【図１】本発明の光ディスク装置をＤＶＤレコーダに適用した場合のシステム構成図である。
【図２】装填されているＤＶＤの特定領域にループ再生情報を設定する実施例１の処理動作を説明するためのフローチャートである。
【図３】設定されたループ再生情報に基づいてループ再生を実施する実施例１の処理動作を説明するためのフローチャートである。
【図４】装填されているＤＶＤの特定領域にループ再生情報を設定する実施例１での編集画面例を示す説明図である。
【図５】装填されているＤＶＤの特定領域にループ再生情報を設定する実施例２の処理動作を説明するためのフローチャートである。
【図６】設定されたループ再生情報に基づいてループ再生を実施する実施例２の処理動作を説明するためのフローチャートである。
【図７】装填されているＤＶＤの特定領域にループ再生情報を設定する実施例２での編集画面例を示す説明図である。
【符号の説明】
【００５２】
１  ＤＶＤレコーダ
２  キー操作入力部
３  制御部
４  ＲＯＭ
５  ＲＡＭ
６  ディスクドライブ部
７  エンコード部
８  デコード部
９  ＯＳＤ表示部
１０  表示装置
１１  リモコン装置
２０  ＤＶＤ（光ディスク）
【図１】
2008186557.tif 000003
【図２】
2008186557.tif 000004
【図３】
2008186557.tif 000005
【図４】
2008186557.tif 000006
【図５】
2008186557.tif 000007
【図６】
2008186557.tif 000008
【図７】
2008186557.tif 000009